(57)【要約】 【課題】  本発明は、極めて軽量で、かつ、耐久性があり、コンクリートに空洞の出来にくい外壁パネル及びその連結材を提供することを目的とするものである。【解決手段】  本発明は、上下左右に接合可能な外パネル及び内パネルと、前記外パネルと前記内パネルの間を繋ぐ複数の略Ｘ字状の連結材とからなり、前記連結材の上部中央に左右逆Ｕ字溝を持つ略Ｔ字状の上突起部を設け、前記連結材の下部中央に左右Ｕ字溝を持つ略逆Ｔ字状の下突起部を設け、前記連結材の上部中央に左右Ｕ字溝を設け、前記連結材の下部中央に左右逆Ｕ字溝を設け、前記連結材の中心部を円柱状にし、４５°傾けて上部及び下部に連設したことを特徴とする外壁パネル及びその連結材の構成とした。【選択図】  図１０
2005336899.tif 000002
【特許請求の範囲】
【請求項１】
上下左右に接合可能な外パネル及び内パネルと、前記外パネルと前記内パネルの間を繋ぐ複数の略Ｘ字状の連結材とからなり、前記外パネルと前記内パネルの間に鉄筋を通し、コンクリートを流し込むことを特徴とする外壁パネル及びその連結材。
【請求項２】
連結材の上部中央に左右逆Ｕ字溝を持つ略Ｔ字状の上突起部を設け、前記連結材の下部中央に左右Ｕ字溝を持つ略逆Ｔ字状の下突起部を設けたことを特徴とする請求項１記載の外壁パネル及びその連結材。
【請求項３】
連結材の上部中央に左右Ｕ字溝を設け、前記連結材の下部中央に左右逆Ｕ字溝を設けたことを特徴とする請求項１又は請求項２記載の外壁パネル及びその連結材。
【請求項４】
連結材の中心部を円柱状にし、４５°傾けて上部及び下部に連設したことを特徴とする請求項１、請求項２又は請求項３記載の外壁パネル及びその連結材。
【請求項５】
外パネル及び内パネルの上面には菱形状の上凸部を複数突設し、下面には円状及び半円状の下凸部を複数突設し、前記上凸部と前記下凸部とをかみ合わせて上下に接合することを特徴とする請求項１、請求項２、請求項３又は請求項４記載の外壁パネル及びその連結材。
【請求項６】
外パネル及び内パネルの一方の側面には半円柱状の横凸部を突設し、他方の側面には半円柱状の横凹部を凹設し、前記横凸部を前記横凹部に嵌め込んで左右に接合することを特徴とする請求項１、請求項２、請求項３、請求項４又は請求項５記載の外壁パネル及びその連結材。
【請求項７】
連結材の下部中央に左右Ｕ字溝を持つ略逆Ｔ字状の下突起部を設け、連結材の上部中央に左右Ｕ字溝を設けたことを特徴とする請求項１、請求項２、請求項３、請求項４、請求項５又は請求項６記載の外壁パネル及びその連結材。
【発明の詳細な説明】
【技術分野】
【０００１】
本発明は、建築物の外壁材として使用される外壁パネル及びその連結材に関する発明である。
【背景技術】
【０００２】
従来において、マンション又はアパート等の外壁には、鉄板製、石製又はコンクリート製等のかなり重量のある外壁パネルを使用しており、耐火性及び耐熱性には優れているが、運搬したり、組み立てるのに大きな労力を必要とした。
【０００３】
特許文献１に記載のように、表面に装飾材を貼着するとともに上面及び下面に円柱状の凸部を複数突設した外パネルと上面には複数の円中状の凸部を突設するとともに下面にも複数の円柱状及び半円柱状の凸部を突設した内パネルとを略Ｘ字型状の連結部材で連結したことを特徴とする外壁パネルという発明も公開されている。
【特許文献１】特開２００４−０８４３０７号公報
【発明の開示】
【発明が解決しようとする課題】
【０００４】
しかしながら、外パネルと内パネルの間にコンクリートを流し込んだ際に連結部材の箇所で空洞が出来てしまい、耐久力が悪くなるばかりか漏水の原因にもなる。また、空洞を補修する際は、表面からモルタルを刷り込むことにより行うが、内部まで充填するのは非常に困難である。
【０００５】
そこで、本発明は、極めて軽量で、かつ、耐久性があり、コンクリートに空洞の出来にくい外壁パネル及びその連結材を提供することを目的とするものである。
【課題を解決するための手段】
【０００６】
本発明は、上記の課題を解決するために、上下左右に接合可能な外パネル２及び内パネル３と、前記外パネル２と前記内パネル３の間を繋ぐ複数の略Ｘ字状の連結材４とからなり、前記連結材４の上部４ａ中央に左右逆Ｕ字溝５ａ、５ｂを持つ略Ｔ字状の上突起部５を設け、前記連結材４の下部４ｂ中央に左右Ｕ字溝６ａ、６ｂを持つ略逆Ｔ字状の下突起部６を設け、前記連結材４の上部４ａ中央に左右Ｕ字溝５ｃ、５ｄ、５ｅ、５ｆを設け、前記連結材４の下部４ｂ中央に左右逆Ｕ字溝６ｃ、６ｄ、６ｅ、６ｆを設け、前記連結材４の中心部４ｃを円柱状にし、４５°傾けて上部４ａ及び下部４ｂに連設したことを特徴とする外壁パネル及びその連結材の構成とした。
【発明の効果】
【０００７】
本発明は、以上の構成であるから以下の効果が得られる。第１に、外パネルと内パネルの間に鉄筋を通し、コンクリートを流し込むことにより、耐火性、耐熱性、耐震性及び遮音性に極めて優れた外壁を作ることができる。
【０００８】
第２に、連結材の中心部を４５°傾けて上部及び下部に連設し、連結材の上部中央及び下部中央に略Ｔ字状の上下突起部を設けることにより、コンクリートを流し込んだ際に空洞が出来るのを防ぐことができる。
【０００９】
第３に、外パネル及び内パネルに上凸部、下凸部、横凸部及び横凹部を設けることにより、外壁パネル同士の接合が容易となり、簡単に加工もできるため、短時間で施工することができ、工事期間の短縮やコストの削減を図ることができる。
【００１０】
第４に、外パネル及び内パネルの材質が発泡スチロール等であるため軽量で運搬しやすく、取扱いも容易であるので、作業者の労力が大幅に軽減され、工事現場での作業効率が飛躍的に上昇する。
【００１１】
第５に、鉄筋を通す際、連結材の上部中央に設けた左右Ｕ字溝及び連結材の下部４ｂ中央に設けた下突起部の左右逆Ｕ字溝に載せれば良く、鉄筋を連結材に縛り付ける必要がないので、余計な手間が省ける。
【発明を実施するための最良の形態】
【００１２】
外壁パネルを窓や扉の部分を空けながら上下左右に接合して組み立て、鉄筋を連結材の下突起部の左Ｕ字溝及び上突起部の第２右Ｕ字溝に載せるように通し、コンクリートを流し込んで外壁を作成する。
【実施例１】
【００１３】
以下に、添付図面に基づいて、本発明である外壁パネル及びその連結材について詳細に説明する。図１は、本発明である外壁パネル及びその連結材の斜視図である。尚、外壁パネル１は、外壁パネル及びその連結材を示すものとする。
【００１４】
外壁パネル１は、上下左右に接合可能な外パネル２及び内パネル３と、前記外パネル２と前記内パネル３の間を繋ぐ複数の略Ｘ字状の連結材４とからなり、前記連結材４の上部４ａ中央に左右逆Ｕ字溝５ａ、５ｂを持つ略Ｔ字状の上突起部５を設け、前記連結材４の下部４ｂ中央に左右Ｕ字溝６ａ、６ｂを持つ略逆Ｔ字状の下突起部６を設け、前記連結材４の上部４ａ中央に左右Ｕ字溝５ｃ、５ｄ、５ｅ、５ｆを設け、前記連結材４の下部４ｂ中央に左右逆Ｕ字溝６ｃ、６ｄ、６ｅ、６ｆを設け、前記連結材４の中心部４ｃを円柱状にし、４５°傾けて上部４ａ及び下部４ｂに連設したことを特徴とする。
【００１５】
外壁パネル１は、外パネル２、内パネル３及び連結材４からなり、外パネル２の内側と内パネル３の内側とを一定間隔をおいて複数の連結材４で繋ぐ。外壁は、外壁パネル１を上下左右に接合してを組み立てられる。
【００１６】
外パネル２及び内パネル３の上面には、菱形状の上凸部２ａ、３ａを複数突設し、下面には、円状及び半円状の下凸部２ｂ、３ｂを複数突設する。上凸部２ａと下凸部２ｂとをかみ合わせ、また、上凸部３ａと下凸部３ｂとをかみ合わせることにより、上下に接合することができる。
【００１７】
外パネル２及び内パネル３の一方の側面には、半円柱状の横凸部２ｃ、３ｃを突設し、他方の側面には、半円状の横凹部２ｄ、３ｄを凹設する。上凸部２ａを下凸部２ｂに嵌め込み、上凸部３ａを下凸部３ｂに嵌め込むことにより、左右に接合することができる。
【００１８】
外パネル２及び内パネル３は、発泡スチロール製であるため、軽量であり、簡単に運搬することができる。また、外壁の端やコーナー等においても、簡単に形状を加工することができる。
【００１９】
外パネル２及び内パネル３の上下面及び両側面に凹凸を設けるが、発泡スチロール製であるため、簡単に形成することができ、外壁パネル１同士を接合した際にしっかりとかみ合わせることができる。
【００２０】
連結材４は、金属製の平板を略Ｘ字状に形成した部材である。連結材４の上部４ａ中央及び下部には、上突起部５及び下突起部６を設け、コンクリート１０を流した際に空洞が出来るの防止する。
【００２１】
外パネル２と内パネル３の間には、外壁パネル１同士の接合力を高めると共に、耐震性を高めるために鉄筋９、９ａを通す。連結材４に設けた溝に載せるようにして通すことにより、鉄筋９、９ａをワイヤー等で縛り付ける必要がない。
【００２２】
図２は、本発明である外壁パネル及びその連結材の正面図である。外壁パネル１を正面から見ると、内パネル３及び連結材４は外パネル２の裏に隠れて見えず、外パネル２のみが見える。
【００２３】
外パネル２は、発泡スチロール等を略直方体に成形した板であり、成形時に上面の上凸部、下面の下凸部、左側面の横凸部及び右側面の横凹部を設け、外パネル２の周囲の面に凹凸を付ける。
【００２４】
外パネル２は、表面に装飾材２ｇを取り付けて見た目の良い外壁パネル１に仕上げることができる。装飾材２ｇは、多数の長方形状の板を一定の間隔を空けて、外パネル２に接着する。
【００２５】
外パネル２の取付部２ｅは、連結材４を取り付ける位置であり、外パネル２の裏側から表側にかけて、溝が形成される。連結材４を外パネル２の溝に嵌め込んで、取付部２ｅにおいて固定する。
【００２６】
図３は、本発明である外壁パネル及びその連結材の背面図である。外壁パネル１を背面から見ると、外パネル２及び連結材４は内パネル３の裏に隠れて見えず、内パネル３のみが見える。
【００２７】
内パネル３は、装飾材２ｇを付けないことを除けば、材質、形状及び大きさ等は、外パネル２と同じである。ただし、連結材４で繋いだ際、外パネル２の横凸部２ｃと内パネル３の横凸部３ｃとが同じ側に来るようにし、外パネル２の横凹部２ｄと内パネル３の横凹部３ｄとが同じ側に来るようにする。
【００２８】
また、外パネル２の上凸部２ａと内パネル３の上凸部３ａとは、凹凸が同じ位置となるようにし、また、外パネル２の下凸部２ｂと内パネル３の下凸部３ｂとは、凹凸が同じ位置となるようにする。
【００２９】
内パネル３には、連結材４を取り付ける取付部３ｅに、連結材４を固定するための釘孔３ｆが空けられる。尚、外パネル２も装飾材２ｇに隠れて見えないが、内パネル３同様、取付部２ｅに釘孔２ｆを有する。
【００３０】
外パネル２の釘孔２ｆに連結材４の中心部４ｃの左孔４ｆを合わせ、内パネル３の釘孔３ｆに連結材４の中心部４ｃの右孔４ｇを合わせ、フックで掛けたり、ボルトをねじ込んだりして固定する。
【００３１】
図４は、本発明である外壁パネル及びその連結材の平面図である。外壁パネル１を平面から見ると梯子状をしており、下側が外パネル２で、上側が内パネル３である。尚、底面から見た場合も、上凸部２ａ、３ａと下凸部２ｂ、３ｂの違いを除けば、同様である。
【００３２】
連結材４は、外パネル２と内パネル３の間に一定間隔を置いて梯子状に取り付けられる。外パネル２及び内パネル３の内側から連結材４を埋め込むようにして、外パネル２及び内パネル３の取付部２ｅ、３ｅに固定する。
【００３３】
外パネル２及び内パネル３の上凸部２ａ、３ａは、平面から見ると１つ１つが菱形状の突起を２列に並べたものである。尚、底面から見た場合の下凸部２ｂ、３ｂは、半円状及び円状の突起が３列並んだものである。
【００３４】
外パネル２の横凸部２ｃ及び内パネル３の横凸部３ｃは、共に左側に存在し、外パネル２の横凹部２ｄ及び内パネル３の横凹部３ｄは、共に右側に存在し、外壁パネル１を左右に接合可能としている。
【００３５】
図５は、本発明である外壁パネル及びその連結材の側面図である。外壁パネル１を右側面から見ると略Ｈ字状をしており、左側が外パネル２で、右側が内パネル３である。尚、左側から見ても、外パネル２と内パネル３の位置が入れ替わるだけで同じである。
【００３６】
連結材４は複数存在するが、一番右のものだけ見えており、他の連結材４は裏に隠れる。連結材４は、それぞれが外パネル２及び内パネル３の取付部２ｅ、３ｅの位置に設けられた溝に嵌め込まれる。
【００３７】
外パネル２の上凸部２ａと内パネルの上凸部３ａは、凹凸が同じ位置に設けられるが、外パネル２の上凸部２ａと下凸部２ｂは凹凸が逆になるように設けられる。外壁パネル１を上下に接合可能とするためである。
【００３８】
図６は、本発明である外壁パネル及びその連結材の外壁パネルの平面拡大図である。図４の平面図で外パネル２の一部を拡大したものである。左側に横凸部２ｃがあり、右側は省略してある。
【００３９】
外パネル２の上面には、上凸部２ａが２列に並ぶが、上凸部２ａは、外パネル２と同様に発泡スチロール製で、正方形を斜めにした菱形状の突起が、外パネル２と一体に形成される。尚、内パネル３の上凸部３ａについても同様である。
【００４０】
上段にある上凸部２ａのうちの１つと、下側、右側及び右下側にある上凸部２ａとで囲まれる上凹部２ｈは、下凸部２ｂが歯合する箇所であり、円形の下凸部２ｂを各上凸部２ａの下凸部２ｂと接する面でしっかりと押さえ付ける。
【００４１】
逆に、１つの上凸部２ａの各側面は、周りの４つの下凸部２ｂによってしっかり押さえ付けられる。下凸部２ｂは円形であるため、均等に押さえ付けられるように、上凸部２ａの縦と横の間隔は一定である。
【００４２】
外パネル２の上面中央には、幅及び高さが約２ミリメートルの中央溝２ｊが横凸部２ｃから横凹部２ｄにかけて一直線に空けられる。雨などが降った際に毛管現象により外壁パネル１に水が染み込んでも、中央溝２ｊを通り、横凸部２ｃの先端に空けられた凹み２ｋから水を落とすことができる。
【００４３】
図７は、本発明である外壁パネル及びその連結材の外壁パネルの底面拡大図である。外パネル２の底面の一部を拡大したものである。右側には横凹部２ｄがあり、左側は省略してある。
【００４４】
外パネル２の下面には、下凸部２ｂが、下向き半円状、円状、上向き半円状の３列に並ぶが、下凸部２ｂは、上凸部２ａ同様に発泡スチロール製で、外パネル２と一体に形成される。尚、内パネル３の下凸部３ｂについても同様である。
【００４５】
隣り合う円状の下凸部２ｂを２つと、その上下いずれかの半円状の下凸部２ｂを２つとで囲まれる下凹部２ｉは、上凸部２ａが歯合する箇所であり、菱形状の上凸部２ａの各側面をしっかり押さえ付ける。
【００４６】
上凸部２ａと下凸部２ｂのかみ合わせが、円周と四角形の面であるので、円周同士よりも接触範囲が広く、四角形の面同士のように接触部分が多すぎて、逆に嵌め込みづらくなるということもない。
【００４７】
外パネル２の下面中央にも、円状の下凸部２ｂを半分に分けるように、幅及び高さが約２ミリメートルの中央溝２ｊが空けられる。外壁パネル１に染み込んだ水を排出する通り道であり、凹み２ｋにおいて水を落とす。
【００４８】
図８は、本発明である外壁パネル及びその連結材の外壁パネルを左右に接合した斜視図である。ある外壁パネル１の横凸部２ｃを、別の外壁パネル１の横凹部２ｄに嵌合するが、内パネル３についても外パネル２と同様である。
【００４９】
横凸部２ｃは、半円柱状に外パネル２の側面を上から下にかけて突起させた箇所で、横凹部２ｄは、逆に半円柱状に外パネル２の側面を上から下にかけて陥没させた箇所であり、横凸部２ｃと横凹部２ｄとは合う形状である。
【００５０】
横凸部２ｃの先端には、水を落とすための凹み２ｋが存在する。凹み２ｋがあるため、横凸部２ｃが横凹部２ｄよりも大きい場合があったとしても、若干縮めて嵌め込むことができるし、横凸部２ｃが膨張したとしても割れてしまうことがない。
【００５１】
図９は、本発明である外壁パネル及びその連結材の外壁パネルを上下に接合した側面図である。ある外壁パネル１の下凸部２ｂをオスとして、別の外壁パネル１の上凹部２ｈをメスとして歯合させる。内パネル３についても外パネル２と同様である。
【００５２】
下凸部２ｂの３つの突起を、上凸部２ａの２つの突起から半個分ずれた位置にある上凹部２ｈに嵌め込む。下凸部２ｂの全ての突起を、下側の外壁パネル１の上凹部２ｈにかみ合わせることで、外壁パネル１同士を接合する。
【００５３】
外壁パネル１は、上下左右に接合していくことができ、様々な大きさの外壁にすることができる。コーナー等においては、湾曲した外壁パネル１を用意し、必要に応じて窓や扉の部分を空けておく。
【００５４】
図１０は、本発明である外壁パネル及びその連結材の連結材の正面図である。連結材４は、金属板を略Ｘ字状に形成したもので、上部４ａ、下部４ｂ、中心部４ｃ、左外枠４ｄ及び右外枠４ｅからなる。
【００５５】
連結材４の左端には、左外枠４ｄがあり、連結材４の右端には、右外枠４ｅがある。左外枠４ｄ及び右外枠４ｅの側面の中心には左孔４ｆ及び右孔４ｇが空けられ、外パネル２の釘孔２ｆ及び内パネル３の釘孔３ｆとをフックやボルトで繋ぐ。
【００５６】
連結材４の上部４ａと下部４ｂとは上下対象であるが、上部４ａは、中心部４ｃの奥側に連設され、下部４ｂは中心部４ｃの手前側に連設される。また、上部４ａの突起８ｇ、８ｈは手前側に出ており、下部４ｂの突起８ｉ、８ｊは奥側に出ている。
【００５７】
上部４ａは、左右対称であり、中心に５角形状の孔７ｂが空けられ、左側に三角形状の孔７ａ及び台形状の孔７が空けられ、右側に三角形状の孔７ｃ及び台形状の孔７ｄが空けられ、部材の軽量化を図っている。
【００５８】
同様に、下部４ｂも左右対称であり、中心に５角形状の孔７ｇが空けられ、左側に三角形状の孔７ｆ及び台形状の孔７ｅが空けられ、右側に三角形状の孔７ｈ及び台形状の孔７ｉが空けられる。
【００５９】
上部４ａに孔７、７ａ、７ｂ、７ｃ及び７ｄ、並びに、下部４ｂに孔７ｅ、７ｆ、７ｇ、７ｈ及び７ｉを空けることで、連結材４の強度が弱くなることが考えられるが、左外枠４ｄとの付け根の上端及び下端付近や、右外枠４ｅとの付け根の上端及び下端付近に厚みを持たせることにより、強度を維持できる。
【００６０】
上部４ａの中央の窪んだ箇所には、上側に向けて上突起部５が設けられる。上突起部５は略Ｔ字状の突起で、左側には左逆Ｕ字溝５ａが空けられ、右側には右逆Ｕ字溝５ｂが空けられる。
【００６１】
上突起部５が上部４ａと繋がる付け根の左側には、第１左Ｕ字溝５ｃ及び第２左Ｕ字溝５ｄが設けられ、上突起部５が上部４ａと繋がる付け根の右側には、第１右Ｕ字溝５ｅ及び第２右Ｕ字溝５ｆが設けられる。
【００６２】
同様に、下部４ｂの中央の窪んだ箇所には、下側に向けて下突起部６が設けられる。下突起部６は略逆Ｔ字状の突起で、左側には左Ｕ字溝６ａが空けられ、右側には右Ｕ字溝６ｂが空けられる。
【００６３】
下突起部６が下部４ｂと繋がる付け根の左側には、第１左逆Ｕ字溝６ｃ及び第２左逆Ｕ字溝６ｄが設けられ、下突起部６が下部４ｂと繋がる付け根の右側には、第１右逆Ｕ字溝６ｅ及び第２右逆Ｕ字溝６ｆが設けられる。
【００６４】
上部４ａに設けた第１左Ｕ字溝５ｃ、第２左Ｕ字溝５ｄ、第１右Ｕ字溝５ｅ及び第２右Ｕ字溝５ｆ並びに上突起部５に設けた左逆Ｕ字溝５ａ及び右逆Ｕ字溝５ｂは、鉄筋９、９ａを通すための溝である。
【００６５】
下部４ｂに設けた第１左逆Ｕ字溝６ｃ、第２左逆Ｕ字溝６ｄ、第１右逆Ｕ字溝６ｅ及び第２右逆Ｕ字溝６ｆ並びに下突起部６に設けた左Ｕ字溝６ａ及び右Ｕ字溝６ｂも、鉄筋９、９ａを通すための溝である。
【００６６】
特に、上部４ａの第１左Ｕ字溝５ｃ、第２左Ｕ字溝５ｄ、第１右Ｕ字溝５ｅ及び第２右Ｕ字溝５ｆ、並びに、下突起部６の左Ｕ字溝６ａ及び右Ｕ字溝６ｂについては、溝が下向きであるため、鉄筋９、９ａを載せることができ、鉄筋９、９ａを連結材４に縛り付ける必要がない。
【００６７】
中心部４ｃは、上部４ａと下部４ｂを繋ぐ箇所であり、円柱を横にした形状である。表面には、突起８、突起８ａ、突起８ｂ、突起８ｃ、突起８ｄ、突起８ｅ、突起８ｆが等間隔に設けられる。
【００６８】
図１１は、本発明である外壁パネル及びその連結材の連結材の平面図である。連結材４を平面で見ると、略Ｈ字状であり、上部４ａ及び上突起部５が一番手前にあり、その下に中心部４ｃがあり、下部４ｂ及び下突起部６は裏に隠れる。
【００６９】
連結材４を上から見ると上部４ａ及び上突起部５が、中心部４ｃに対して上側に存在するが、下から見た場合は、下部４ｂ及び下突起部６が、中心部４ｃに対して下側に存在する。また、上部４ａの突起８ｇ及び突起８ｈは下側に出るが、下部４ｂの突起８ｉ及び突起８ｊは上側に出る。
【００７０】
上部４ａ、下部４ｂ及び中心部４ｃは、左端を左外枠４ｄで固定され、右端を右外枠４ｅで固定されるが、上部４ａと下部４ｂとが一直線上に来ないようにすることで、強度を強くしている。
【００７１】
図１２は、本発明である外壁パネル及びその連結材の連結材のＡ−Ａにおける断面図である。図１０における連結材４をＡ−Ａの位置で切断し、断面から右方向を見た場合の図を示す。尚、左右対称であるので、左側を見ても同様である。
【００７２】
連結材４の中心から右外枠４ｅまでであるので、上部４ａについては、上突起部５及び孔７ｂが一番手前にあり、上部４ａを経て、右外枠４ｅに達する。下部４ｂについては、下突起部６及び孔７ｇが一番手前にあり、下部４ｂを経て、右外枠４ｅに達する。
【００７３】
中心部４ｃについては、円柱状の円周上には突起８ｃがあり、裏側に突起８ｄ、８ｅ、８ｆが隠れている。中心部４ｃに対して、上部４ａは左側にずれて連設され、下部４ｂは右側にずれて連設される。
【００７４】
中心部４ｃは、上部４ａ及び下部４ｂに対して４５°傾いて連設されているので、上部４ａと下部４ｂとが段差を形成している場合に比べて、コンクリート１０を流し込んだ際の空洞が出来にくい。
【００７５】
図１３は、本発明である外壁パネル及びその連結材の連結材の突起部の拡大図である。図１０における連結材４の上部４ａに設けられた上突起部５を拡大した図である。第２左Ｕ字溝５ｄの左側及び第２右Ｕ字溝５ｆの右側は省略する。
【００７６】
上突起部５には、左逆Ｕ字溝５ａ及び右逆Ｕ字溝５ｂがあり、上突起部５の付け根には、第１左Ｕ字溝５ｃ、第２左Ｕ字溝５ｄ、第１右Ｕ字溝５ｅ、第２右Ｕ字溝５ｆがあり、鉄筋９、９ａを通すことができるが、いずれも溝が２段階である。
【００７７】
第１左Ｕ字溝５ｃについて説明すると、下側の狭い溝では、直径の小さな鉄筋９、９ａを通し、上側の若干広くなった溝では、直径が大きい鉄筋９、９ａを通す。他の溝についても、上下逆になる場合もあるが、溝の形状は全て同じである。
【００７８】
上突起部５と上下が逆になった下突起部６についても同じであり、鉄筋９、９ａを連結材４の上側を通す場合でも、下側を通す場合でも、連結材４に縛り付けず、載せることができるので、コンクリート１０を流し込んだ際に空洞が出来るのを防ぐことができる。
【００７９】
図１４は、本発明である外壁パネル及びその連結材のコンクリートを流し込んだ後の斜視図である。外壁パネル１に鉄筋９、９ａを通した後、コンクリート１０を流し込むことにより、外壁が完成する。
【００８０】
外パネル２と内パネル３の間に、コンクリート１０を流し込むことにより、耐火性、耐熱性、耐震性及び遮音性に極めて優れた外壁となる。また、外パネル２には、装飾材２ｇも取り付けられているので、見た目にも良い外壁となる。
【００８１】
装飾材２ｇは、取付部２ｅにある釘孔２ｆに取り付けられたフックにより掛けられる。釘孔２ｆは、内側では連結材４を固定し、外側ではタイルや石を引っ掛けて外壁パネル１を装飾する。
【００８２】
更に、装飾材２ｇに、不燃材を用いることで、より耐火性及び耐熱性を増した外壁パネル１とすることができる。また、遮音効果の高い材質を用いることで、より遮音性の高い外壁パネル１とすることもできる。
【実施例２】
【００８３】
図１５は、本発明である外壁パネル及びその連結材の第２実施例の連結材の正面図である。連結材１１では、上部１１ａ及び下部１１ｂに対して、鉄筋９、９ａを載せることができる溝のみを設けることにより無駄を省く。
【００８４】
図１０の連結材４では、鉄筋９、９ａを載せることができるのは、溝が下向きである上部４ａの第１左Ｕ字溝５ｃ、第２左Ｕ字溝５ｄ、第１右Ｕ字溝５ｅ及び第２右Ｕ字溝５ｆ、並びに、下突起部６の左Ｕ字溝６ａ及び右Ｕ字溝６ｂである。
【００８５】
上突起部５の左逆Ｕ字溝５ａ及び右逆Ｕ字溝５ｂ、並びに、下部４ｂの第１左逆Ｕ字溝６ｃ、第２左逆Ｕ字溝６ｄ、第１右逆Ｕ字溝６ｅ及び第２右逆Ｕ字溝６ｆについては、溝が上向きであるため、鉄筋９、９ａは落下してしまう。
【００８６】
従って、上部１１ａでは、第１左Ｕ字溝５ｃ、第２左Ｕ字溝５ｄ、第１右Ｕ字溝５ｅ及び第２右Ｕ字溝５ｆを設け、下部１１ｂでは、下突起部６の左Ｕ字溝６ａ及び右Ｕ字溝６ｂを設ければ良い。
【００８７】
鉄筋９、９ａを載せることができる溝のみを設け、鉄筋９、９ａを載せることができない溝を省くことにより、コンクリート１０を流し込んだ際にできる空洞も、更に出来にくくなる。
【００８８】
以上のように、本発明である外壁パネル及びその連結材は、外パネル２と内パネル３の間に鉄筋９、９ａを通し、コンクリート１０を流し込むことにより、耐火性、耐熱性、耐震性及び遮音性に極めて優れた外壁を作ることができる。
【００８９】
連結材４の中心部４ｃを４５°傾けて上部４ａ及び下部４ｂに連設し、連結材４の上部４ａ中央及び下部４ｂ中央に略Ｔ字状の上突起部５及び下突起部６を設けることにより、コンクリート１０を流し込んだ際に空洞が出来るのを防ぐことができる。
【００９０】
外パネル２及び内パネル３に上凸部２ａ、３ａ、下凸部２ｂ、３ｂ、横凸部２ｃ、３ｃ及び横凹部２ｄ、３ｄを設けることにより、外壁パネル１同士の接合が容易となり、簡単に加工もできるため、短時間で施工することができ、工事期間の短縮やコストの削減を図ることができる。
【００９１】
外パネル２及び内パネル３の材質が発泡スチロール等であるため軽量で運搬しやすく、取扱いも容易であるので、作業者の労力が大幅に軽減され、工事現場での作業効率が飛躍的に上昇する。
【００９２】
鉄筋９、９ａを通す際、連結材４の上部４ａ中央に設けた左右Ｕ字溝５ｃ、５ｄ、５ｅ、５ｆ及び連結材４の下部４ｂ中央に設けた下突起部６の左右Ｕ字溝６ａ、６ｂに載せれば良く、鉄筋９、９ａを連結材４に縛り付ける必要がないので、余計な手間が省ける。    
【産業上の利用可能性】
【００９３】
マンションやアパート以外にも様々な建築物の外壁に対して使用できる。外パネル及び内パネルの厚さを調整したり、外パネルと内パネルの間隔、即ち連結材の幅を変えることにより、様々なケースに対応することが可能である。
【図面の簡単な説明】
【００９４】
【図１】本発明である外壁パネル及びその連結材の斜視図である。
【図２】本発明である外壁パネル及びその連結材の正面図である。
【図３】本発明である外壁パネル及びその連結材の背面図である。
【図４】本発明である外壁パネル及びその連結材の平面図である。
【図５】本発明である外壁パネル及びその連結材の側面図である。
【図６】本発明である外壁パネル及びその連結材の外壁パネルの平面拡大図である。
【図７】本発明である外壁パネル及びその連結材の外壁パネルの底面拡大図である。
【図８】本発明である外壁パネル及びその連結材の外壁パネルを左右に接合した斜視図である。
【図９】本発明である外壁パネル及びその連結材の外壁パネルを上下に接合した側面図である。
【図１０】本発明である外壁パネル及びその連結材の連結材の正面図である。
【図１１】本発明である外壁パネル及びその連結材の連結材の平面図である。
【図１２】本発明である外壁パネル及びその連結材の連結材のＡ−Ａにおける断面図である。
【図１３】本発明である外壁パネル及びその連結材の連結材の突起部の拡大図である。
【図１４】本発明である外壁パネル及びその連結材のコンクリートを流し込んだ後の斜視図である。
【図１５】本発明である外壁パネル及びその連結材の第２実施例の連結材の正面図である。
【符号の説明】
【００９５】
１        外壁パネル
２        外パネル
２ａ      上凸部
２ｂ      下凸部
２ｃ      横凸部
２ｄ      横凹部
２ｅ      取付部
２ｆ      釘孔
２ｇ      装飾材
２ｈ      上凹部
２ｉ      下凹部
３        内パネル
３ａ      上凸部
３ｂ      下凸部
３ｃ      横凸部
３ｄ      横凹部
３ｅ      取付部
３ｆ      釘孔
４        連結材
４ａ      上部
４ｂ      下部
４ｃ      中心部
４ｄ      左外枠
４ｅ      右外枠
４ｆ      左孔
４ｇ      右孔
５        上突起部
５ａ      左逆Ｕ字溝
５ｂ      右逆Ｕ字溝
５ｃ      第１左Ｕ字溝
５ｄ      第２左Ｕ字溝
５ｅ      第１右Ｕ字溝
５ｆ      第２右Ｕ字溝
６        下突起部
６ａ      左Ｕ字溝
６ｂ      右Ｕ字溝
６ｃ      第１左逆Ｕ字溝
６ｄ      第２左逆Ｕ字溝
６ｅ      第１右逆Ｕ字溝
６ｆ      第２右逆Ｕ字溝
７        孔
７ａ      孔
７ｂ      孔
７ｃ      孔
７ｄ      孔
７ｅ      孔
７ｆ      孔
７ｇ      孔
７ｈ      孔
７ｉ      孔
８        突起
８ａ      突起
８ｂ      突起
８ｃ      突起
８ｄ      突起
８ｅ      突起
８ｆ      突起
８ｇ      突起
８ｈ      突起
８ｉ      突起
８ｊ      突起
９        鉄筋
９ａ      鉄筋
１０        コンクリート
１１        連結材
１１ａ      上部
１１ｂ      下部
【図１】
2005336899.tif 000003
【図２】
2005336899.tif 000004
【図３】
2005336899.tif 000005
【図４】
2005336899.tif 000006
【図５】
2005336899.tif 000007
【図６】
2005336899.tif 000008
【図７】
2005336899.tif 000009
【図８】
2005336899.tif 000010
【図９】
2005336899.tif 000011
【図１０】
2005336899.tif 000012
【図１１】
2005336899.tif 000013
【図１２】
2005336899.tif 000014
【図１３】
2005336899.tif 000015
【図１４】
2005336899.tif 000016
【図１５】
2005336899.tif 000017
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
上部と中心部と下部と左外枠と右外枠とからなる連結材において、中央の窪んだ箇所の中央に左逆Ｕ字溝及び右逆Ｕ字溝を持つ略Ｔ字状の上突起部を設け、前記上突起部の左側には第１左Ｕ字溝及び第２左Ｕ字溝を設けるとともに前記上突起部の右側には第１右Ｕ字溝及び第２右Ｕ字溝を設け、中心には五角形状の孔を空け、前記五角形状の孔の左側には三角形状の孔及び台形状の孔を空け、前記五角形状の孔の右側に三角形状の孔及び台形状の孔を空け、手前側に突出する突起を設けた上部と、中央の窪んだ箇所の中央に左Ｕ字溝及び右Ｕ字溝を持つ略逆Ｔ字状の下突起部を設け、前記下突起部の左側には第１左逆Ｕ字溝及び第２左逆Ｕ字溝を設けるとともに前記下突起部の右側には第１右逆Ｕ字溝及び第２右逆Ｕ字溝を設け、中心には五角形状の孔を空け、前記五角形状の孔の左側には三角形状の孔及び台形状の孔を空け、前記五角形状の孔の右側には三角形状の孔及び台形状の孔が空け、奥側に突出する突起を設けた下部と、
前記上部及び前記下部が、垂直方向に対して４５°傾いて円柱状の部分に連設されていて、表面には突起が等間隔に設け円柱を横にした形状である中心部と、前記上部、中心部及び下部の左端には、側面の中心に左孔を空けた左外枠と、前記上部、中心部及び下部の右端には側面の中心に右孔を空けた右外枠とからなり、略Ｘ字状であることを特徴とする連結材。
【請求項２】
上部と中心部と下部と左外枠と右外枠とからなる連結材において、中央の窪んだ箇所の中央の左側には第１左Ｕ字溝及び第２左Ｕ字溝を設けるとともに右側には第１右Ｕ字溝及び第２右Ｕ字溝を設け、中心には五角形状の孔を空け、前記五角形状の孔の左側には三角形状の孔及び台形状の孔を空け、前記五角形状の孔の右側に三角形状の孔及び台形状の孔を空け、手前側に突出する突起を設けた上部と、中央の窪んだ箇所の中央に左Ｕ字溝及び右Ｕ字溝を持つ略逆Ｔ字状の下突起部を設け、中心には五角形状の孔を空け、前記五角形状の孔の左側には三角形状の孔及び台形状の孔を空け、前記五角形状の孔の右側には三角形状の孔及び台形状の孔が空け、奥側に突出する突起を設けた下部と、前記上部及び前記下部が、垂直方向に対して４５°傾いて円柱状の部分に連設されていて、表面には突起が等間隔に設け円柱を横にした形状である中心部と、前記上部、中心部及び下部の左端には、側面の中心に左孔を空けた左外枠と、前記上部、中心部及び下部の右端には側面の中心に右孔を空けた右外枠とからなり、略Ｘ字状であることを特徴とする連結材。
【請求項３】
請求項１に記載の連結材の左外枠に上面には菱形状の上凸部を複数突設するとともに下面には円状及び半円状の下凸部を複数突設し、一方の側面には半円柱状の横凸部を突設するとともに他方の側面には半円柱状の横凹部を凹設し、表面には装飾材を取り付けるとともに溝を有する取付部を取り付けた外パネルを取り付け、前記連結材の右外枠に上面には菱形状の上凸部を複数突設するとともに下面には円状及び半円状の下凸部を複数突設し、一方の側面には半円柱状の横凸部を突設するとともに他方の側面には半円柱状の横凹部を凹設し、溝を有する取付部を取り付けた内パネルを取り付けたことを特徴とする外壁パネル。
【請求項４】
請求項２に記載の連結材の左外枠に上面には菱形状の上凸部を複数突設するとともに下面には円状及び半円状の下凸部を複数突設し、一方の側面には半円柱状の横凸部を突設するとともに他方の側面には半円柱状の横凹部を凹設し、表面には装飾材を取り付けるとともに溝を有する取付部を取り付けた外パネルを取り付け、前記連結材の右外枠４ｅに上面には菱形状の上凸部を複数突設するとともに下面には円状及び半円状の下凸部を複数突設し、一方の側面には半円柱状の横凸部を突設するとともに他方の側面には半円柱状の横凹部を凹設し、溝を有する取付部を取り付けた内パネルを取り付けたことを特徴とする外壁パネル。
【手続補正３】
【補正対象書類名】明細書
【補正対象項目名】全文
【補正方法】変更
【補正の内容】
【発明の詳細な説明】
【技術分野】
【０００１】
本発明は、建築物の外壁材として使用される連結材及びその連結材を使用した外壁パネルに関する発明である。
【背景技術】
【０００２】
従来において、マンション又はアパート等の外壁には、鉄板製、石製又はコンクリート製等のかなり重量のある外壁パネルを使用しており、耐火性及び耐熱性には優れているが、運搬したり、組み立てるのに大きな労力を必要とした。
【０００３】
特許文献１に記載のように、表面に装飾材を貼着するとともに上面及び下面に円柱状の凸部を複数突設した外パネルと上面には複数の円柱状の凸部を突設するとともに下面にも複数の円柱状及び半円柱状の凸部を突設した内パネルとを略Ｘ字型状の連結部材で連結したことを特徴とする外壁パネルという発明も公開されている。
【特許文献１】特開２００４−０８４３０７号公報
【発明の開示】
【発明が解決しようとする課題】
【０００４】
しかしながら、外パネルと内パネルの間にコンクリートを流し込んだ際に連結部材の箇所で空洞が出来てしまい、耐久力が悪くなるばかりか漏水の原因にもなる。また、空洞を補修する際は、表面からモルタルを刷り込むことにより行うが、内部まで充填するのは非常に困難である。
【０００５】
そこで、本発明は、極めて軽量で、かつ、耐久性があり、コンクリートに空洞の出来にくい外壁パネル及びその連結材を提供することを目的とするものである。
【課題を解決するための手段】
【０００６】
本発明は、上記の課題を解決するために、上部４ａと中心部４ｃと下部４ｂと左外枠４ｄと右外枠４ｅとからなる連結材において、中央の窪んだ箇所の中央に左逆Ｕ字溝５ａ及び右逆Ｕ字溝５ｂを持つ略Ｔ字状の上突起部５を設け、前記上突起部５の左側には第１左Ｕ字溝５ｃ及び第２左Ｕ字溝５ｄを設けるとともに前記上突起部５の右側には第１右Ｕ字溝５ｅ及び第２右Ｕ字溝５ｆを設け、中心には五角形状の孔７ｂを空け、前記五角形状の孔７ｂの左側には三角形状の孔７ａ及び台形状の孔７を空け、前記五角形状の孔７ｂの右側に三角形状の孔７ｃ及び台形状の孔７ｄを空け、手前側に突出する突起８ｇ、８ｈを設けた上部４ａと、中央の窪んだ箇所の中央に左Ｕ字溝６ａ及び右Ｕ字溝６ｂを持つ略逆Ｔ字状の下突起部６を設け、前記下突起部６の左側には第１左逆Ｕ字溝６ｃ及び第２左逆Ｕ字溝６ｄを設けるとともに前記下突起部６の右側には第１右逆Ｕ字溝６ｅ及び第２右逆Ｕ字溝６ｆを設け、中心には五角形状の孔７ｇを空け、前記五角形状の孔７ｇの左側には三角形状の孔７ｆ及び台形状の孔７ｅを空け、前記五角形状の孔７ｇの右側には三角形状の孔７ｈ及び台形状の孔７ｉが空け、奥側に突出する突起８ｉ、８ｊを設けた下部４ｂと、
前記上部４ａ及び前記下部４ｂが、垂直方向に対して４５°傾いて円柱状の部分に連設されていて、表面には突起８〜８ｆが等間隔に設け円柱を横にした形状である中心部４ｃと、前記上部４ａ、中心部４ｃ及び下部４ｂの左端には、側面の中心に左孔４ｆを空けた左外枠４ｅと、前記上部４ａ、中心部４ｃ及び下部４ｂの右端には側面の中心に右孔４ｇを空けた右外枠４ｅとからなり、略Ｘ字状であることを特徴とする連結材４の構成、上部４ａと中心部４ｃと下部４ｂと左外枠４ｄと右外枠４ｅとからなる連結材において、中央の窪んだ箇所の中央の左側には第１左Ｕ字溝５ｃ及び第２左Ｕ字溝５ｄを設けるとともに右側には第１右Ｕ字溝５ｅ及び第２右Ｕ字溝５ｆを設け、中心には五角形状の孔７ｂを空け、前記五角形状の孔７ｂの左側には三角形状の孔７ａ及び台形状の孔７を空け、前記五角形状の孔７ｂの右側に三角形状の孔７ｃ及び台形状の孔７ｄを空け、手前側に突出する突起８ｇ、８ｈを設けた上部４ａと、中央の窪んだ箇所の中央に左Ｕ字溝６ａ及び右Ｕ字溝６ｂを持つ略逆Ｔ字状の下突起部６を設け、中心には五角形状の孔７ｇを空け、前記五角形状の孔７ｇの左側には三角形状の孔７ｆ及び台形状の孔７ｅを空け、前記五角形状の孔７ｇの右側には三角形状の孔７ｈ及び台形状の孔７ｉが空け、奥側に突出する突起８ｉ、８ｊを設けた下部４ｂと、前記上部４ａ及び前記下部４ｂが、垂直方向に対して４５°傾いて円柱状の部分に連設されていて、表面には突起８〜８ｆが等間隔に設け円柱を横にした形状である中心部４ｃと、前記上部４ａ、中心部４ｃ及び下部４ｂの左端には、側面の中心に左孔４ｆを空けた左外枠４ｅと、前記上部４ａ、中心部４ｃ及び下部４ｂの右端には側面の中心に右孔４ｇを空けた右外枠４ｅとからなり、略Ｘ字状であることを特徴とする連結材１１の構成、請求項１に記載の連結材４の左外枠４ｄに上面には菱形状の上凸部３ａを複数突設するとともに下面には円状及び半円状の下凸部３ｂを複数突設し、一方の側面には半円柱状の横凸部２ｃを突設するとともに他方の側面には半円柱状の横凹部２ｄを凹設し、表面には装飾材２ｇを取り付けるとともに溝を有する取付部３ｅを取り付けた外パネルを取り付け、前記連結材４の右外枠４ｅに上面には菱形状の上凸部３ａを複数突設するとともに下面には円状及び半円状の下凸部３ｂを複数突設し、一方の側面には半円柱状の横凸部２ｃを突設するとともに他方の側面には半円柱状の横凹部２ｄを凹設し、溝を有する取付部３ｅを取り付けた内パネル３を取り付けたことを特徴とする外壁パネル１の構成及び請求項２に記載の連結材１１の左外枠４ｄに上面には菱形状の上凸部３ａを複数突設するとともに下面には円状及び半円状の下凸部３ｂを複数突設し、一方の側面には半円柱状の横凸部２ｃを突設するとともに他方の側面には半円柱状の横凹部２ｄを凹設し、表面には装飾材２ｇを取り付けるとともに溝を有する取付部３ｅを取り付けた外パネルを取り付け、前記連結材４の右外枠４ｅに上面には菱形状の上凸部３ａを複数突設するとともに下面には円状及び半円状の下凸部３ｂを複数突設し、一方の側面には半円柱状の横凸部２ｃを突設するとともに他方の側面には半円柱状の横凹部２ｄを凹設し、溝を有する取付部３ｅ��取り付けた内パネル３を取り付けたことを特徴とする外壁パネルの構成とした。
【発明の効果】
【０００７】
本発明は、以上の構成であるから以下の効果が得られる。第１に、外パネルと内パネルの間に鉄筋を通し、コンクリートを流し込むことにより、耐火性、耐熱性、耐震性及び遮音性に極めて優れた外壁を作ることができる。
【０００８】
第２に、連結材の中心部を４５°傾けて上部及び下部に連設し、連結材の上部中央及び下部中央に略Ｔ字状の上下突起部を設けることにより、コンクリートを流し込んだ際に空洞が出来るのを防ぐことができる。
【０００９】
第３に、外パネル及び内パネルに上凸部、下凸部、横凸部及び横凹部を設けることにより、外壁パネル同士の接合が容易となり、簡単に加工もできるため、短時間で施工することができ、工事期間の短縮やコストの削減を図ることができる。
【００１０】
第４に、外パネル及び内パネルの材質が発泡スチロール等であるため軽量で運搬しやすく、取扱いも容易であるので、作業者の労力が大幅に軽減され、工事現場での作業効率が飛躍的に上昇する。
【００１１】
第５に、鉄筋を通す際、連結材の上部中央に設けた左右Ｕ字溝及び連結材の下部４ｂ中央に設けた下突起部の左右逆Ｕ字溝に載せれば良く、鉄筋を連結材に縛り付ける必要がないので、余計な手間が省ける。
【発明を実施するための最良の形態】
【００１２】
外壁パネルを窓や扉の部分を空けながら上下左右に接合して組み立て、鉄筋を連結材の下突起部の左Ｕ字溝及び上突起部の第２右Ｕ字溝に載せるように通し、コンクリートを流し込んで外壁を作成する。
【実施例１】
【００１３】
以下に、添付図面に基づいて、本発明である外壁パネル及びその連結材について詳細に説明する。図１は、本発明である外壁パネル及びその連結材の斜視図である。尚、外壁パネル１は、外壁パネル及びその連結材を示すものとする。
【００１４】
外壁パネル１は、上下左右に接合可能な外パネル２及び内パネル３と、前記外パネル２と前記内パネル３の間を繋ぐ複数の略Ｘ字状の連結材４とからなり、前記連結材４の上部４ａ中央に左右逆Ｕ字溝５ａ、５ｂを持つ略Ｔ字状の上突起部５を設け、前記連結材４の下部４ｂ中央に左右Ｕ字溝６ａ、６ｂを持つ略逆Ｔ字状の下突起部６を設け、前記連結材４の上部４ａ中央に左右Ｕ字溝５ｃ、５ｄ、５ｅ、５ｆを設け、前記連結材４の下部４ｂ中央に左右逆Ｕ字溝６ｃ、６ｄ、６ｅ、６ｆを設け、前記連結材４の中心部４ｃを円柱状にし、４５°傾けて上部４ａ及び下部４ｂに連設したことを特徴とする。
【００１５】
外壁パネル１は、外パネル２、内パネル３及び連結材４からなり、外パネル２の内側と内パネル３の内側とを一定間隔をおいて複数の連結材４で繋ぐ。外壁は、外壁パネル１を上下左右に接合してを組み立てられる。
【００１６】
外パネル２及び内パネル３の上面には、菱形状の上凸部２ａ、３ａを複数突設し、下面には、円状及び半円状の下凸部２ｂ、３ｂを複数突設する。上凸部２ａと下凸部２ｂとをかみ合わせ、また、上凸部３ａと下凸部３ｂとをかみ合わせることにより、上下に接合することができる。
【００１７】
外パネル２及び内パネル３の一方の側面には、半円柱状の横凸部２ｃ、３ｃを突設し、他方の側面には、半円状の横凹部２ｄ、３ｄを凹設する。上凸部２ａを下凸部２ｂに嵌め込み、上凸部３ａを下凸部３ｂに嵌め込むことにより、左右に接合することができる。
【００１８】
外パネル２及び内パネル３は、発泡スチロール製であるため、軽量であり、簡単に運搬することができる。また、外壁の端やコーナー等においても、簡単に形状を加工することができる。
【００１９】
外パネル２及び内パネル３の上下面及び両側面に凹凸を設けるが、発泡スチロール製であるため、簡単に形成することができ、外壁パネル１同士を接合した際にしっかりとかみ合わせることができる。
【００２０】
連結材４は、金属製の平板を略Ｘ字状に形成した部材である。連結材４の上部４ａ中央及び下部には、上突起部５及び下突起部６を設け、コンクリート１０を流した際に空洞が出来るの防止する。
【００２１】
外パネル２と内パネル３の間には、外壁パネル１同士の接合力を高めると共に、耐震性を高めるために鉄筋９、９ａを通す。連結材４に設けた溝に載せるようにして通すことにより、鉄筋９、９ａをワイヤー等で縛り付ける必要がない。
【００２２】
図２は、本発明である外壁パネル及びその連結材の正面図である。外壁パネル１を正面から見ると、内パネル３及び連結材４は外パネル２の裏に隠れて見えず、外パネル２のみが見える。
【００２３】
外パネル２は、発泡スチロール等を略直方体に成形した板であり、成形時に上面の上凸部、下面の下凸部、左側面の横凸部及び右側面の横凹部を設け、外パネル２の周囲の面に凹凸を付ける。
【００２４】
外パネル２は、表面に装飾材２ｇを取り付けて見た目の良い外壁パネル１に仕上げることができる。装飾材２ｇは、多数の長方形状の板を一定の間隔を空けて、外パネル２に接着する。
【００２５】
外パネル２の取付部２ｅは、連結材４を取り付ける位置であり、外パネル２の裏側から表側にかけて、溝が形成される。連結材４を外パネル２の溝に嵌め込んで、取付部２ｅにおいて固定する。
【００２６】
図３は、本発明である外壁パネル及びその連結材の背面図である。外壁パネル１を背面から見ると、外パネル２及び連結材４は内パネル３の裏に隠れて見えず、内パネル３のみが見える。
【００２７】
内パネル３は、装飾材２ｇを付けないことを除けば、材質、形状及び大きさ等は、外パネル２と同じである。ただし、連結材４で繋いだ際、外パネル２の横凸部２ｃと内パネル３の横凸部３ｃとが同じ側に来るようにし、外パネル２の横凹部２ｄと内パネル３の横凹部３ｄとが同じ側に来るようにする。
【００２８】
また、外パネル２の上凸部２ａと内パネル３の上凸部３ａとは、凹凸が同じ位置となるようにし、また、外パネル２の下凸部２ｂと内パネル３の下凸部３ｂとは、凹凸が同じ位置となるようにする。
【００２９】
内パネル３には、連結材４を取り付ける取付部３ｅに、連結材４を固定するための釘孔３ｆが空けられる。尚、外パネル２も装飾材２ｇに隠れて見えないが、内パネル３同様、取付部２ｅに釘孔２ｆを有する。
【００３０】
外パネル２の釘孔２ｆに連結材４の中心部４ｃの左孔４ｆを合わせ、内パネル３の釘孔３ｆに連結材４の中心部４ｃの右孔４ｇを合わせ、フックで掛けたり、ボルトをねじ込んだりして固定する。
【００３１】
図４は、本発明である外壁パネル及びその連結材の平面図である。外壁パネル１を平面から見ると梯子状をしており、下側が外パネル２で、上側が内パネル３である。尚、底面から見た場合も、上凸部２ａ、３ａと下凸部２ｂ、３ｂの違いを除けば、同様である。
【００３２】
連結材４は、外パネル２と内パネル３の間に一定間隔を置いて梯子状に取り付けられる。外パネル２及び内パネル３の内側から連結材４を埋め込むようにして、外パネル２及び内パネル３の取付部２ｅ、３ｅに固定する。
【００３３】
外パネル２及び内パネル３の上凸部２ａ、３ａは、平面から見ると１つ１つが菱形状の突起を２列に並べたものである。尚、底面から見た場合の下凸部２ｂ、３ｂは、半円状及び円状の突起が３列並んだものである。
【００３４】
外パネル２の横凸部２ｃ及び内パネル３の横凸部３ｃは、共に左側に存在し、外パネル２の横凹部２ｄ及び内パネル３の横凹部３ｄは、共に右側に存在し、外壁パネル１を左右に接合可能としている。
【００３５】
図５は、本発明である外壁パネル及びその連結材の側面図である。外壁パネル１を右側面から見ると略Ｈ字状をしており、左側が外パネル２で、右側が内パネル３である。尚、左側から見ても、外パネル２と内パネル３の位置が入れ替わるだけで同じである。
【００３６】
連結材４は複数存在するが、一番右のものだけ見えており、他の連結材４は裏に隠れる。連結材４は、それぞれが外パネル２及び内パネル３の取付部２ｅ、３ｅの位置に設けられた溝に嵌め込まれる。
【００３７】
外パネル２の上凸部２ａと内パネルの上凸部３ａは、凹凸が同じ位置に設けられるが、外パネル２の上凸部２ａと下凸部２ｂは凹凸が逆になるように設けられる。外壁パネル１を上下に接合可能とするためである。
【００３８】
図６は、本発明である外壁パネル及びその連結材の外壁パネルの平面拡大図である。図４の平面図で外パネル２の一部を拡大したものである。左側に横凸部２ｃがあり、右側は省略してある。
【００３９】
外パネル２の上面には、上凸部２ａが２列に並ぶが、上凸部２ａは、外パネル２と同様に発泡スチロール製で、正方形を斜めにした菱形状の突起が、外パネル２と一体に形成される。尚、内パネル３の上凸部３ａについても同様である。
【００４０】
上段にある上凸部２ａのうちの１つと、下側、右側及び右下側にある上凸部２ａとで囲まれる上凹部２ｈは、下凸部２ｂが歯合する箇所であり、円形の下凸部２ｂを各上凸部２ａの下凸部２ｂと接する面でしっかりと押さえ付ける。
【００４１】
逆に、１つの上凸部２ａの各側面は、周りの４つの下凸部２ｂによってしっかり押さえ付けられる。下凸部２ｂは円形であるため、均等に押さえ付けられるように、上凸部２ａの縦と横の間隔は一定である。
【００４２】
外パネル２の上面中央には、幅及び高さが約２ミリメートルの中央溝２ｊが横凸部２ｃから横凹部２ｄにかけて一直線に空けられる。雨などが降った際に毛管現象により外壁パネル１に水が染み込んでも、中央溝２ｊを通り、横凸部２ｃの先端に空けられた凹み２ｋから水を落とすことができる。
【００４３】
図７は、本発明である外壁パネル及びその連結材の外壁パネルの底面拡大図である。外パネル２の底面の一部を拡大したものである。右側には横凹部２ｄがあり、左側は省略してある。
【００４４】
外パネル２の下面には、下凸部２ｂが、下向き半円状、円状、上向き半円状の３列に並ぶが、下凸部２ｂは、上凸部２ａ同様に発泡スチロール製で、外パネル２と一体に形成される。尚、内パネル３の下凸部３ｂについても同様である。
【００４５】
隣り合う円状の下凸部２ｂを２つと、その上下いずれかの半円状の下凸部２ｂを２つとで囲まれる下凹部２ｉは、上凸部２ａが歯合する箇所であり、菱形状の上凸部２ａの各側面をしっかり押さえ付ける。
【００４６】
上凸部２ａと下凸部２ｂのかみ合わせが、円周と四角形の面であるので、円周同士よりも接触範囲が広く、四角形の面同士のように接触部分が多すぎて、逆に嵌め込みづらくなるということもない。
【００４７】
外パネル２の下面中央にも、円状の下凸部２ｂを半分に分けるように、幅及び高さが約２ミリメートルの中央溝２ｊが空けられる。外壁パネル１に染み込んだ水を排出する通り道であり、凹み２ｋにおいて水を落とす。
【００４８】
図８は、本発明である外壁パネル及びその連結材の外壁パネルを左右に接合した斜視図である。ある外壁パネル１の横凸部２ｃを、別の外壁パネル１の横凹部２ｄに嵌合するが、内パネル３についても外パネル２と同様である。
【００４９】
横凸部２ｃは、半円柱状に外パネル２の側面を上から下にかけて突起させた箇所で、横凹部２ｄは、逆に半円柱状に外パネル２の側面を上から下にかけて陥没させた箇所であり、横凸部２ｃと横凹部２ｄとは合う形状である。
【００５０】
横凸部２ｃの先端には、水を落とすための凹み２ｋが存在する。凹み２ｋがあるため、横凸部２ｃが横凹部２ｄよりも大きい場合があったとしても、若干縮めて嵌め込むことができるし、横凸部２ｃが膨張したとしても割れてしまうことがない。
【００５１】
図９は、本発明である外壁パネル及びその連結材の外壁パネルを上下に接合した側面図である。ある外壁パネル１の下凸部２ｂをオスとして、別の外壁パネル１の上凹部２ｈをメスとして歯合させる。内パネル３についても外パネル２と同様である。
【００５２】
下凸部２ｂの３つの突起を、上凸部２ａの２つの突起から半個分ずれた位置にある上凹部２ｈに嵌め込む。下凸部２ｂの全ての突起を、下側の外壁パネル１の上凹部２ｈにかみ合わせることで、外壁パネル１同士を接合する。
【００５３】
外壁パネル１は、上下左右に接合していくことができ、様々な大きさの外壁にすることができる。コーナー等においては、湾曲した外壁パネル１を用意し、必要に応じて窓や扉の部分を空けておく。
【００５４】
図１０は、本発明である外壁パネル及びその連結材の連結材の正面図である。連結材４は、金属板を略Ｘ字状に形成したもので、上部４ａ、下部４ｂ、中心部４ｃ、左外枠４ｄ及び右外枠４ｅからなる。
【００５５】
連結材４の左端には左外枠４ｄがあり、連結材４の右端には右外枠４ｅがある。左外枠４ｄ及び右外枠４ｅの側面の中心には左孔４ｆ及び右孔４ｇが空けられ、外パネル２の釘孔２ｆ及び内パネル３の釘孔３ｆとをフックやボルトで繋ぐ。
【００５６】
連結材４の上部４ａと下部４ｂとは上下対称であるが、上部４ａは、中心部４ｃの奥側に連設され、下部４ｂは中心部４ｃの手前側に連設される。また、上部４ａの突起８ｇ、８ｈは手前側に出ており、下部４ｂの突起８ｉ、８ｊは奥側に出ている。
【００５７】
上部４ａは左右対称であり、中心に五角形状の孔７ｂが空けられ、左側に三角形状の孔７ａ及び台形状の孔７が空けられ、右側に三角形状の孔７ｃ及び台形状の孔７ｄが空けられ、部材の軽量化を図っている。
【００５８】
同様に、下部４ｂも左右対称であり、中心に五角形状の孔７ｇが空けられ、左側に三角形状の孔７ｆ及び台形状の孔７ｅが空けられ、右側に三角形状の孔７ｈ及び台形状の孔７ｉが空けられる。
【００５９】
上部４ａに孔７、７ａ、７ｂ、７ｃ及び７ｄ、並びに、下部４ｂに孔７ｅ、７ｆ、７ｇ、７ｈ及び７ｉを空けることで、連結材４の強度が弱くなることが考えられるが、左外枠４ｄとの付け根の上端及び下端付近や、右外枠４ｅとの付け根の上端及び下端付近に厚みを持たせることにより、強度を維持できる。
【００６０】
上部４ａの中央の窪んだ箇所には、上側に向けて上突起部５が設けられる。上突起部５は略Ｔ字状の突起で、左側には左逆Ｕ字溝５ａが空けられ、右側には右逆Ｕ字溝５ｂが空けられる。
【００６１】
上突起部５が上部４ａと繋がる付け根の左側には、第１左Ｕ字溝５ｃ及び第２左Ｕ字溝５ｄが設けられ、上突起部５が上部４ａと繋がる付け根の右側には、第１右Ｕ字溝５ｅ及び第２右Ｕ字溝５ｆが設けられる。
【００６２】
同様に、下部４ｂの中央の窪んだ箇所には、下側に向けて下突起部６が設けられる。下突起部６は略逆Ｔ字状の突起で、左側には左Ｕ字溝６ａが空けられ、右側には右Ｕ字溝６ｂが空けられる。
【００６３】
下突起部６が下部４ｂと繋がる付け根の左側には、第１左逆Ｕ字溝６ｃ及び第２左逆Ｕ字溝６ｄが設けられ、下突起部６が下部４ｂと繋がる付け根の右側には、第１右逆Ｕ字溝６ｅ及び第２右逆Ｕ字溝６ｆが設けられる。
【００６４】
上部４ａに設けた第１左Ｕ字溝５ｃ、第２左Ｕ字溝５ｄ、第１右Ｕ字溝５ｅ及び第２右Ｕ字溝５ｆ並びに上突起部５に設けた左逆Ｕ字溝５ａ及び右逆Ｕ字溝５ｂは、鉄筋９、９ａを通すための溝である。
【００６５】
下部４ｂに設けた第１左逆Ｕ字溝６ｃ、第２左逆Ｕ字溝６ｄ、第１右逆Ｕ字溝６ｅ及び第２右逆Ｕ字溝６ｆ並びに下突起部６に設けた左Ｕ字溝６ａ及び右Ｕ字溝６ｂも、鉄筋９、９ａを通すための溝である。
【００６６】
特に、上部４ａの第１左Ｕ字溝５ｃ、第２左Ｕ字溝５ｄ、第１右Ｕ字溝５ｅ及び第２右Ｕ字溝５ｆ、並びに、下突起部６の左Ｕ字溝６ａ及び右Ｕ字溝６ｂについては、溝が下向きであるため、鉄筋９、９ａを載せることができ、鉄筋９、９ａを連結材４に縛り付ける必要がない。
【００６７】
中心部４ｃは、上部４ａと下部４ｂを繋ぐ箇所であり、円柱を横にした形状である。表面には、突起８、突起８ａ、突起８ｂ、突起８ｃ、突起８ｄ、突起８ｅ、突起８ｆが等間隔に設けられる。
【００６８】
図１１は、本発明である外壁パネル及びその連結材の連結材の平面図である。連結材４を平面で見ると、略Ｈ字状であり、上部４ａ及び上突起部５が一番手前にあり、その下に中心部４ｃがあり、下部４ｂ及び下突起部６は裏に隠れる。
【００６９】
連結材４を上から見ると上部４ａ及び上突起部５が、中心部４ｃに対して上側に存在するが、下から見た場合は、下部４ｂ及び下突起部６が、中心部４ｃに対して下側に存在する。また、上部４ａの突起８ｇ及び突起８ｈは下側に出るが、下部４ｂの突起８ｉ及び突起８ｊは上側に出る。
【００７０】
上部４ａ、下部４ｂ及び中心部４ｃは、左端を左外枠４ｄで固定され、右端を右外枠４ｅで固定されるが、上部４ａと下部４ｂとが一直線上に来ないようにすることで、強度を強くしている。
【００７１】
図１２は、本発明である外壁パネル及びその連結材の連結材のＡ−Ａにおける断面図である。図１０における連結材４をＡ−Ａの位置で切断し、断面から右方向を見た場合の図を示す。尚、左右対称であるので、左側を見ても同様である。
【００７２】
連結材４の中心から右外枠４ｅまでであるので、上部４ａについては、上突起部５及び孔７ｂが一番手前にあり、上部４ａを経て、右外枠４ｅに達する。下部４ｂについては、下突起部６及び孔７ｇが一番手前にあり、下部４ｂを経て、右外枠４ｅに達する。
【００７３】
中心部４ｃについては、円柱状の円周上には突起８ｃがあり、裏側に突起８ｄ、８ｅ、８ｆが隠れている。中心部４ｃに対して、上部４ａは左側にずれて連設され、下部４ｂは右側にずれて連設される。
【００７４】
中心部４ｃは、上部４ａ及び下部４ｂに対して４５°傾いて連設されているので、上部４ａと下部４ｂとが段差を形成している場合に比べて、コンクリート１０を流し込んだ際の空洞が出来にくい。
【００７５】
図１３は、本発明である外壁パネル及びその連結材の連結材の突起部の拡大図である。図１０における連結材４の上部４ａに設けられた上突起部５を拡大した図である。第２左Ｕ字溝５ｄの左側及び第２右Ｕ字溝５ｆの右側は省略する。
【００７６】
上突起部５には、左逆Ｕ字溝５ａ及び右逆Ｕ字溝５ｂがあり、上突起部５の付け根には、第１左Ｕ字溝５ｃ、第２左Ｕ字溝５ｄ、第１右Ｕ字溝５ｅ、第２右Ｕ字溝５ｆがあり、鉄筋９、９ａを通すことができるが、いずれも溝が２段階である。
【００７７】
第１左Ｕ字溝５ｃについて説明すると、下側の狭い溝では、直径の小さな鉄筋９、９ａを通し、上側の若干広くなった溝では、直径が大きい鉄筋９、９ａを通す。他の溝についても、上下逆になる場合もあるが、溝の形状は全て同じである。
【００７８】
上突起部５と上下が逆になった下突起部６についても同じであり、鉄筋９、９ａを連結材４の上側を通す場合でも、下側を通す場合でも、連結材４に縛り付けず、載せることができるので、コンクリート１０を流し込んだ際に空洞が出来るのを防ぐことができる。
【００７９】
図１４は、本発明である外壁パネル及びその連結材のコンクリートを流し込んだ後の斜視図である。外壁パネル１に鉄筋９、９ａを通した後、コンクリート１０を流し込むことにより、外壁が完成する。
【００８０】
外パネル２と内パネル３の間に、コンクリート１０を流し込むことにより、耐火性、耐熱性、耐震性及び遮音性に極めて優れた外壁となる。また、外パネル２には、装飾材２ｇも取り付けられているので、見た目にも良い外壁となる。
【００８１】
装飾材２ｇは、取付部２ｅにある釘孔２ｆに取り付けられたフックにより掛けられる。釘孔２ｆは、内側では連結材４を固定し、外側ではタイルや石を引っ掛けて外壁パネル１を装飾する。
【００８２】
更に、装飾材２ｇに、不燃材を用いることで、より耐火性及び耐熱性を増した外壁パネル１とすることができる。また、遮音効果の高い材質を用いることで、より遮音性の高い外壁パネル１とすることもできる。
【実施例２】
【００８３】
図１５は、本発明である外壁パネル及びその連結材の第２実施例の連結材の正面図である。連結材１１では、上部１１ａ及び下部１１ｂに対して、鉄筋９、９ａを載せることができる溝のみを設けることにより無駄を省く。
【００８４】
図１０の連結材４では、鉄筋９、９ａを載せることができるのは、溝が下向きである上部４ａの第１左Ｕ字溝５ｃ、第２左Ｕ字溝５ｄ、第１右Ｕ字溝５ｅ及び第２右Ｕ字溝５ｆ、並びに、下突起部６の左Ｕ字溝６ａ及び右Ｕ字溝６ｂである。
【００８５】
上突起部５の左逆Ｕ字溝５ａ及び右逆Ｕ字溝５ｂ、並びに、下部４ｂの第１左逆Ｕ字溝６ｃ、第２左逆Ｕ字溝６ｄ、第１右逆Ｕ字溝６ｅ及び第２右逆Ｕ字溝６ｆについては、溝が上向きであるため、鉄筋９、９ａは落下してしまう。
【００８６】
従って、上部１１ａでは、第１左Ｕ字溝５ｃ、第２左Ｕ字溝５ｄ、第１右Ｕ字溝５ｅ及び第２右Ｕ字溝５ｆを設け、下部１１ｂでは、下突起部６の左Ｕ字溝６ａ及び右Ｕ字溝６ｂを設ければ良い。
【００８７】
鉄筋９、９ａを載せることができる溝のみを設け、鉄筋９、９ａを載せることができない溝を省くことにより、コンクリート１０を流し込んだ際にできる空洞も、更に出来にくくなる。
【００８８】
以上のように、本発明である外壁パネル及びその連結材は、外パネル２と内パネル３の間に鉄筋９、９ａを通し、コンクリート１０を流し込むことにより、耐火性、耐熱性、耐震性及び遮音性に極めて優れた外壁を作ることができる。
【００８９】
連結材４の中心部４ｃを４５°傾けて上部４ａ及び下部４ｂに連設し、連結材４の上部４ａ中央及び下部４ｂ中央に略Ｔ字状の上突起部５及び下突起部６を設けることにより、コンクリート１０を流し込んだ際に空洞が出来るのを防ぐことができる。
【００９０】
外パネル２及び内パネル３に上凸部２ａ、３ａ、下凸部２ｂ、３ｂ、横凸部２ｃ、３ｃ及び横凹部２ｄ、３ｄを設けることにより、外壁パネル１同士の接合が容易となり、簡単に加工もできるため、短時間で施工することができ、工事期間の短縮やコストの削減を図ることができる。
【００９１】
外パネル２及び内パネル３の材質が発泡スチロール等であるため軽量で運搬しやすく、取扱いも容易であるので、作業者の労力が大幅に軽減され、工事現場での作業効率が飛躍的に上昇する。
【００９２】
鉄筋９、９ａを通す際、連結材４の上部４ａ中央に設けた左右Ｕ字溝５ｃ、５ｄ、５ｅ、５ｆ及び連結材４の下部４ｂ中央に設けた下突起部６の左右Ｕ字溝６ａ、６ｂに載せれば良く、鉄筋９、９ａを連結材４に縛り付ける必要がないので、余計な手間が省ける。    
【産業上の利用可能性】
【００９３】
マンションやアパート以外にも様々な建築物の外壁に対して使用できる。外パネル及び内パネルの厚さを調整したり、外パネルと内パネルの間隔、即ち連結材の幅を変えることにより、様々なケースに対応することが可能である。
【図面の簡単な説明】
【００９４】
【図１】本発明である連結材及びその連結材を使用した外壁パネルの外壁パネルの斜視図である。
【図２】本発明である連結材及びその連結材を使用した外壁パネルの外壁パネルの正面図である。
【図３】本発明である連結材及びその連結材を使用した外壁パネルの外壁パネルの背面図である。
【図４】本発明である連結材及びその連結材を使用した外壁パネルの外壁パネルの平面図である。
【図５】本発明である連結材及びその連結材を使用した外壁パネルの外壁パネルの側面図である。
【図６】本発明である連結材及びその連結材を使用した外壁パネルの外壁パネルの外パネルの平面拡大図である。
【図７】本発明である連結材及びその連結材を使用した外壁パネルの外壁パネルの外パネルの底面拡大図である。
【図８】本発明である連結材及びその連結材を使用した外壁パネルの外壁パネルの外パネルを左右に接合した斜視図である。
【図９】本発明である連結材及びその連結材を使用した外壁パネルの外壁パネルの外パネルを上下に接合した側面図である。
【図１０】本発明である連結材及びその連結材を使用した外壁パネルの連結材の正面図である。
【図１１】本発明である連結材及びその連結材を使用した外壁パネルの連結材の平面図である。
【図１２】本発明である連結材及びその連結材を使用した外壁パネルの連結材のＡ−Ａにおける断面図である。
【図１３】本発明である連結材及びその連結材を使用した外壁パネルの連結材の上突起部の拡大図である。
【図１４】本発明である連結材及びその連結材を使用した外壁パネルの外パネルと内パネルの間にコンクリートを流し込んだ状態の斜視図である。
【図１５】本発明である連結材及びその連結材を使用した外壁パネルの連結材の第２実施例を示す図である。
【符号の説明】
【００９５】
１        外壁パネル
２        外パネル
２ａ      上凸部
２ｂ      下凸部
２ｃ      横凸部
２ｄ      横凹部
２ｅ      取付部
２ｆ      釘孔
２ｇ      装飾材
２ｈ      上凹部
２ｉ      下凹部
２ｊ      中央溝
２ｋ      凹み
３        内パネル
３ａ      上凸部
３ｂ      下凸部
３ｃ      横凸部
３ｄ      横凹部
３ｅ      取付部
３ｆ      釘孔
４        連結材
４ａ      上部
４ｂ      下部
４ｃ      中心部
４ｄ      左外枠
４ｅ      右外枠
４ｆ      左孔
４ｇ      右孔
５        上突起部
５ａ      左逆Ｕ字溝
５ｂ      右逆Ｕ字溝
５ｃ      第１左Ｕ字溝
５ｄ      第２左Ｕ字溝
５ｅ      第１右Ｕ字溝
５ｆ      第２右Ｕ字溝
６        下突起部
６ａ      左Ｕ字溝
６ｂ      右Ｕ字溝
６ｃ      第１左逆Ｕ字溝
６ｄ      第２左逆Ｕ字溝
６ｅ      第１右逆Ｕ字溝
６ｆ      第２右逆Ｕ字溝
７        孔
７ａ      孔
７ｂ      孔
７ｃ      孔
７ｄ      孔
７ｅ      孔
７ｆ      孔
７ｇ      孔
７ｈ      孔
７ｉ      孔
８        突起
８ａ      突起
８ｂ      突起
８ｃ      突起
８ｄ      突起
８ｅ      突起
８ｆ      突起
８ｇ      突起
８ｈ      突起
８ｉ      突起
８ｊ      突起
９        鉄筋
９ａ      鉄筋
１０        コンクリート
１１        連結材
１１ａ      上部
１１ｂ      下部
【手続補正４】
【補正対象書類名】図面
【補正対象項目名】図８
【補正方法】変更
【補正の内容】
【図８】
2005336899.tif 000018
【手続補正５】
【補正対象書類名】図面
【補正対象項目名】図１１
【補正方法】変更
【補正の内容】
【図１１】
2005336899.tif 000019
【手続補正６】
【補正対象書類名】図面
【補正対象項目名】図１２
【補正方法】変更
【補正の内容】
【図１２】
2005336899.tif 000020